(57)【要約】ジャンル検索の操作性を向上した番組情報検索装置を提供する。番組の情報を表示する電子番組表とジャンル検索画面とを作成する電子番組表作成手段１０５と、前記電子番組表においてカーソルが位置する番組の情報を取得し、該情報から該番組のジャンルを検出する番組情報取得手段１１０ａと、前記ジャンル検索画面におけるジャンルを指定するジャンルカーソルの初期位置を前記検出されたジャンルに設定するカーソル制御手段１１０ｂとを備え、前記電子番組表作成手段は、前記ジャンル検索画面を表示する指示を受けると、前記番組情報取得手段が検出したジャンルの番組を抽出し、抽出された番組と、前記ジャンルカーソルの初期位置とに基づいて前記ジャンル検索画面を作成し、前記表示手段に表示させる。
2011010555.tif 000002
【特許請求の範囲】
【請求項１】
番組の情報が表示されカーソルによって番組を選択する電子番組表と、ジャンルカーソルによって指定されたジャンルの番組の情報を表示するジャンル検索画面とを作成する電子番組表作成手段と、
前記電子番組表と前記ジャンル検索画面とを表示する表示手段と、
前記電子番組表において前記カーソルが位置する番組の情報を取得し、該情報から該番組のジャンルを検出する番組情報取得手段と、
前記ジャンル検索画面における前記ジャンルカーソルの初期位置を前記検出されたジャンルに設定するカーソル制御手段とを備え、
前記電子番組表作成手段は、前記ジャンル検索画面を表示する指示を受けると、そのときに前記電子番組表において前記カーソルが位置する番組のジャンルを前記番組情報取得手段から取得し、該ジャンルの番組を抽出し、抽出された番組と、前記カーソル制御手段によって設定された前記ジャンルカーソルの初期位置とに基づいて前記ジャンル検索画面を作成し、前記表示手段に表示させることを特徴とする番組情報検索装置。
【請求項２】
前記ジャンル検索画面の初期画面に表示される番組は、前記電子番組表においてカーソルが位置していた番組を含むことを特徴とする請求項１に記載の番組情報検索装置。
【請求項３】
前記ジャンル検索画面において、番組を指定するカーソルの初期位置は、前記電子番組表においてカーソルが位置していた番組に位置することを特徴とする請求項２に記載の番組情報検索装置。
【請求項４】
番組の情報が表示されカーソルによって番組を選択する電子番組表と、サブジャンルカーソルによって指定されたサブジャンルの番組の情報を表示するサブジャンル検索画面とを作成する電子番組表作成手段と、
前記電子番組表と前記サブジャンル検索画面とを表示する表示手段と、
前記電子番組表において前記カーソルが位置する番組の情報を取得し、該情報から該番組のサブジャンルを検出する番組情報取得手段と、
前記サブジャンル検索画面におけるサブジャンルカーソルの初期位置を前記検出されたサブジャンルに設定するカーソル制御手段とを備え、
前記電子番組表作成手段は、前記サブジャンル検索画面を表示する指示を受けると、そのときに前記電子番組表において前記カーソルが位置する番組のサブジャンルを前記番組情報取得手段から取得し、該サブジャンルの番組を抽出し、抽出された番組と、前記カーソル制御手段によって設定された前記サブジャンルカーソルの初期位置とに基づいて前記サブジャンル検索画面を作成し、前記表示手段に表示させることを特徴とする番組情報検索装置。
【請求項５】
前記サブジャンル検索画面の初期画面に表示される番組は、前記電子番組表においてカーソルが位置していた番組を含むことを特徴とする請求項４に記載の番組情報検索装置。
【請求項６】
前記サブジャンル検索画面において、番組を指定するカーソルの初期位置は、前記電子番組表においてカーソルが位置していた番組に位置することを特徴とする請求項５に記載の番組情報検索装置。
【請求項７】
前記サブジャンル検索画面ではジャンルの指定もでき、前記電子番組表においてカーソルが位置していた番組の情報においてサブジャンルが指定されていない場合、前記サブジャンル検索画面におけるサブジャンルを指定するサブジャンルカーソルの初期位置を、該番組のジャンルに設定することを特徴とする請求項４乃至６のいずれか１項に記載の番組情報検索装置。
【請求項８】
電子番組表を表示するステップと、
ジャンル検索機能の起動を検知するステップと、
前記電子番組表においてカーソルが位置する番組の情報を取得し、該番組のジャンルを検出するステップと、
ジャンル検索画面においてジャンルを指定するジャンルカーソルの初期位置を前記検出されたジャンルに設定するステップと、
前記検出されたジャンルの番組を抽出するステップと、
前記設定されたジャンルカーソルの初期位置と前記抽出された番組とに基づいてジャンル検索画面を作成するステップと、
前記ジャンル検索画面を表示するステップとを含むことを特徴とする番組情報検索方法。
【請求項９】
請求項８に記載の方法をコンピュータに実行させるためのプログラム。
【請求項１０】
請求項９に記載のプログラムを格納したコンピュータ読み取り可能な記録媒体。
【発明の詳細な説明】
【技術分野】
【０００１】
本発明は、番組情報検索装置に関する。
【背景技術】
【０００２】
多チャンネル化や番組の情報提供サービスの普及に伴い、テレビやレコーダには番組情報を一覧表示する機能、すなわち電子番組表が搭載されるようになってきた。電子番組表は、番組情報を確認したり、所望の番組を録画予約したり、視聴する際に利用される。一般に、電子番組表は、時間軸と、時間軸に垂直なチャンネル軸とによって構成される表に、受信した番組情報を当てはめて表示している。【０００３】
テレビやレコーダには、番組情報を用いた電子番組表に関連する機能として、ジャンルや日時、キーワードによって番組を検索して一覧表示する検索機能も一般に搭載されている。【０００４】
特許文献１には、電子番組表から特定の放送時間帯かつ特定のジャンルに属する番組を検索するための検索表示に含まれる日時識別子を、電子番組表の放送時間帯を示す表示の時間軸の方向と一致するように配置し表示することにより、検索表示における番組検索にかかる操作性を向上させた電子番組表示装置が記載されている。【０００５】
特許文献２には、期間選択モードあるいは少なくとも一部の動作状態において、より大きい移動単位（特にページ単位）でチャンネル順の配列方向に電子番組表をスクロールさせるようにすることにより、ユーザが、所望の期間に多くのチャンネルで放送される番組に関する番組情報を、より短時間で、また、より少ない回数の指示（例えばキー入力）で、閲覧することができる電子番組表表示装置が記載されている。【０００６】
ジャンル検索画面においては、例えば、縦軸が、ジャンル一覧が配置されたジャンル軸、横軸が、番組が放送される時間帯が並べられた時間軸となっており、ジャンルおよび時間帯を各々カーソルで選択すると、当該時間帯において放送される当該ジャンルの番組の一覧が表示される。ジャンル軸においてジャンルが並べられている順序は通常固定されている。従来、電子番組表からジャンル検索機能が起動されると、ジャンル軸におけるジャンルカーソルの初期位置は、前回ジャンル検索機能が起動されたときに最後に選択されたジャンルか、ジャンル軸の先頭のジャンルとなっていた。【０００７】
一方、このようなジャンル検索機能においては、簡単な操作で興味のある番組と同じジャンルの番組情報一覧が見たいという要求があった。
【先行技術文献】
【特許文献】
【０００８】
【特許文献１】特開２００６−２１７４２９号公報
【特許文献２】特開２００６−２１７４３１号公報
【発明の概要】
【発明が解決しようとする課題】
【０００９】
興味のある番組と同じジャンルの番組情報一覧を見るためには、ユーザは、興味のある番組のジャンルを知り、ジャンル検索機能を起動してジャンル検索画面を表示させ、そのジャンルにジャンルカーソルを移動するといった操作を行う必要があった。特に、興味のある番組のジャンルを知るために該番組の番組情報からジャンルを調べる操作を行ったり、ジャンル検索画面において所定のジャンルにジャンルカーソルを移動するなど、余計な操作が必要なことは、簡単な操作で興味のある番組と同じジャンルの番組情報一覧を表示する上で問題となっていた。【００１０】
本発明は、このような実情に鑑み、ジャンル検索の操作性を向上した番組情報検索装置を提供する。
【課題を解決するための手段】
【００１１】
本発明の番組情報検索装置では、ジャンル検索において、電子番組表においてカーソルが位置する番組と同じジャンルの番組を検索する。【００１２】
本発明の番組情報検索装置は、番組の情報が表示されカーソルによって番組を選択する電子番組表と、ジャンルカーソルによって指定されたジャンルの番組の情報を表示するジャンル検索画面とを作成する電子番組表作成手段と、前記電子番組表と前記ジャンル検索画面とを表示する表示手段と、前記電子番組表において前記カーソルが位置する番組の情報を取得し、該情報から該番組のジャンルを検出する番組情報取得手段と、前記ジャンル検索画面における前記ジャンルカーソルの初期位置を前記検出されたジャンルに設定するカーソル制御手段とを備え、前記電子番組表作成手段は、前記ジャンル検索画面を表示する指示を受けると、そのときに前記電子番組表において前記カーソルが位置する番組のジャンルを前記番組情報取得手段から取得し、該ジャンルの番組を抽出し、抽出された番組と、前記カーソル制御手段によって設定された前記ジャンルカーソルの初期位置とに基づいて前記ジャンル検索画面を作成し、前記表示手段に表示させることを特徴とする。【００１３】
前記ジャンル検索画面の初期画面に表示される番組は、前記電子番組表においてカーソルが位置していた番組を含んでもよい。【００１４】
前記ジャンル検索画面において、番組を指定するカーソルの初期位置は、前記電子番組表においてカーソルが位置していた番組に位置してもよい。【００１５】
本発明の番組情報検索装置では、サブジャンル検索において、電子番組表においてカーソルが位置する番組と同じサブジャンルの番組を検索するようにしてもよい。【００１６】
この場合、本発明の番組情報検索装置は、番組の情報が表示されカーソルによって番組を選択する電子番組表と、サブジャンルカーソルによって指定されたサブジャンルの番組の情報を表示するサブジャンル検索画面とを作成する電子番組表作成手段と、前記電子番組表と前記サブジャンル検索画面とを表示する表示手段と、前記電子番組表において前記カーソルが位置する番組の情報を取得し、該情報から該番組のサブジャンルを検出する番組情報取得手段と、前記サブジャンル検索画面におけるサブジャンルカーソルの初期位置を前記検出されたサブジャンルに設定するカーソル制御手段とを備え、前記電子番組表作成手段は、前記サブジャンル検索画面を表示する指示を受けると、そのときに前記電子番組表において前記カーソルが位置する番組のサブジャンルを前記番組情報取得手段から取得し、該サブジャンルの番組を抽出し、抽出された番組と、前記カーソル制御手段によって設定された前記サブジャンルカーソルの初期位置とに基づいて前記サブジャンル検索画面を作成し、前記表示手段に表示させることを特徴とする。【００１７】
前記サブジャンル検索画面の初期画面に表示される番組は、前記電子番組表においてカーソルが位置していた番組を含んでもよい。【００１８】
前記サブジャンル検索画面において、番組を指定するカーソルの初期位置は、前記電子番組表においてカーソルが位置していた番組に位置してもよい。【００１９】
前記サブジャンル検索画面ではジャンルの指定もでき、前記電子番組表においてカーソルが位置していた番組の情報においてサブジャンルが指定されていない場合、前記サブジャンル検索画面におけるサブジャンルを指定するサブジャンルカーソルの初期位置を、該番組のジャンルに設定してもよい。
【発明の効果】
【００２０】
本発明によれば、ジャンル検索の操作性が向上する。
【図面の簡単な説明】
【００２１】
【図１】本発明の実施の形態に係るデジタルテレビジョン放送受信装置の構成の一例を示すブロック図である。
【図２】電子番組表の一例を示す図である。
【図３】ジャンル検索画面の一例を示す図である。
【図４】本発明の実施の形態に係るデジタルテレビジョン放送受信装置のジャンル検索の手順を説明するフローチャートである。
【符号の説明】
【００２２】
１０１  チューナー部
１０２  デマルチプレクサ
１０３  番組情報デコード部
１０４  映像・音声デコード部
１０５  ＥＰＧ構成部
１０６  画面合成部
１０７  表示部
１０８  音声出力部
１０９  操作受付部
１１０  制御部
１１０ａ  番組情報取得部
１１０ｂ  カーソル制御部
１１１  メモリ
１１２  リモコン装置
【発明を実施するための形態】
【００２３】
以下、本発明の番組情報検索装置について、デジタルテレビジョン放送受信装置として実施した形態を例として図面を参照して詳細に説明する。
【００２４】
図１は、本発明の第１の実施の形態に係るデジタルテレビジョン放送受信装置の構成の一例を示すブロック図である。
【００２５】
本デジタルテレビジョン放送受信装置は、チューナ部１０１と、デマルチプレクサ１０２と、番組情報デコード部１０３と、映像・音声デコード部１０４と、ＥＰＧ構成部１０５と、画面合成部１０６と、表示部１０７と、音声出力部１０８と、操作受付部１０９と、制御部１１０と、メモリ１１１とを備える。
【００２６】
チューナ部１０１は、衛星アンテナや地上波アンテナにより受信された、又は、ケーブル放送によって供給された複数の放送波から任意の放送波を選択し、デマルチプレクサ１０２に供給する。デマルチプレクサ１０２は、この選択された放送波に含まれる複数のチャンネルからデマルチプレクス処理によって任意のチャンネルのデジタル信号を選択し、映像・音声デコード部１０４に供給し、番組情報を番組情報デコード部１０３に供給する。映像・音声デコード部１０４は、選択されたチャンネルのディジタル信号をデコードすることによって映像・音声信号を得て、映像信号を画面合成部１０６に供給し、音声信号を音声出力部１０８に供給する。番組情報デコード部１０３は、番組情報をデコードし、ＥＰＧ構成部１０５に供給する。ＥＰＧ構成部１０５は、デコードされた番組情報を元にＥＰＧ画面を構成し、画面合成部１０６に供給する。画面合成部１０６は、番組の映像信号やＥＰＧ画面、予約画面等を合成し、表示部１０７に供給する。表示部１０７は液晶ディスプレイ等であり、番組の映像や各種制御画面等を表示する。音声出力部１０８は、増幅器やスピーカ等から成り、番組の音声や警告音等を出力する。メモリ１１１には、番組情報や予約情報が格納される。
【００２７】
これらの各部は、制御部１１０によって制御される。制御部１１０は、リモコン装置１１２又は本体の操作ボタン（図示せず）からの制御信号を操作受付部１０９を経て受け、電子番組表におけるカーソル移動等のユーザ操作を受け付け、画面合成部１０６を制御して電子番組表の表示に反映させる。
【００２８】
電子番組表は、図２に示すように、放送予定の各番組に対応する番組セルが縦横に配置されているものである。番組セルには、番組名や番組の出演者などの情報が表示される。電子番組表は、横軸はチャンネル軸に、縦軸は時間軸になっている。
【００２９】
番組セルの１つにはカーソルが位置する。カーソルは、例えば、カーソルが位置する番組セルが、カーソルが位置しない他の番組セルと異なる色で表示されることによって示され、または、枠で囲まれることによって示される。図２では、ハッチングによって示している。ユーザは、リモコン装置１１２又は本体に設けられた方向キーによってカーソルを所望の番組セルに移動させることができる。
【００３０】
電子番組表が表示されている状態で、リモコン装置１１２又は本体に設けられた所定のキー（ジャンル検索キー）の操作によってジャンル検索を行うことができる。
【００３１】
制御部１１０は、番組情報取得部１１０ａおよびカーソル制御部１１０ｂを備える。制御部１１０が、ジャンル検索キーが押されたことを感知すると、番組情報取得部１１０ａは、その時点で電子番組表においてカーソルが位置する番組の情報を取得する。番組の情報には、番組のジャンルを指定する通常４ビットのジャンル識別子が含まれている。カーソル制御部１１０ｂは、ジャンル検索画面においてジャンルを指定するジャンルカーソルの初期位置を、このジャンル識別子が示すジャンルに設定する。また、ジャンル検索画面において番組を指定するカーソルを、ジャンル検索キーが押された時点で電子番組表においてカーソルが位置していた番組に設定する。制御部１１０は、このジャンル識別子に基づいて判別した番組のジャンルを検索条件として、メモリ１１１に格納された放送予定のすべての番組情報においてジャンル検索を行い、当該ジャンルの番組を抽出する。
【００３２】
ＥＰＧ構成部１０５は、ジャンル検索された番組の番組情報を元にジャンル検索画面を構成する。画面合成部１０６は、ジャンル検索画面を合成し、表示部１０７に供給する。表示部１０７はジャンル検索画面を表示する。このジャンル検索画面においては、ジャンルを指定するジャンルカーソルは電子番組表においてカーソルが位置していた番組のジャンルに位置し、番組一覧には電子番組表においてカーソルが位置していた番組が含まれ、番組を選択するカーソルは電子番組表においてカーソルが位置していた番組に位置する。
【００３３】
このようにして表示されるジャンル検索画面では、電子番組表においてカーソルが位置していた番組と同じジャンルの番組の一覧が表示される。このため、電子番組表において興味のある番組にカーソルを合わせてジャンル検索キーを押すだけで、当該番組のジャンルを調べたり、ジャンル検索機能を呼び出してからジャンルを指定したりすることなく、興味のある番組と同じジャンルの番組を検索することができる。
【００３４】
図３は、ジャンル検索画面の一例を示す図である。ジャンル検索画面では、リモコン装置１１２などによる操作によって、横軸の時間軸において時間帯カーソルにより放送時間帯を選択し、縦軸のジャンル軸においてジャンルカーソルによりジャンルを選択すると、選択された放送時間帯において放送される選択されたジャンルの番組の一覧が放送時刻順に表示される。上述した通り、電子番組表が表示されている状態でジャンル検索機能が起動されると、電子番組表においてカーソルが位置する番組と同じジャンルの番組一覧が表示される。表示すべき番組が多くて表示しきれない場合は、リモコン装置１１２の方向キーの操作などによってスクロールさせることで、隠れている番組を表示させることができる。図３の例では、電子番組表において、１１月１８日（今日）の午後５時から午後５時３０分にＸＸテレビで放送される「歌の広場」という番組にカーソルが位置している状態でジャンル検索機能が起動された場合に表示されるジャンル検索画面が示されている。「歌の広場」という番組のジャンルは音楽なのでジャンル軸では音楽にジャンルカーソルが位置し、「歌の広場」は今日の午後放送なので時間軸では今日の午後の時間帯に時間帯カーソルが位置し、今日の午後に放送されるジャンルが音楽の番組の一覧が表示される。番組を選択するカーソルは「歌の広場」に位置する。
【００３５】
図４は、本発明の実施の形態に係るデジタルテレビジョン放送受信装置のジャンル検索の手順を説明するフローチャートである。
【００３６】
ステップＳ１０１において、ユーザは、リモコン装置１１２または本体の電子番組表キーの押下やメニュー画面における選択などにより、電子番組表機能を呼び出す。
【００３７】
ステップＳ１０２において、表示部１０７は、電子番組表を表示する。
【００３８】
ステップＳ１０３において、ユーザは、リモコン装置１１２または本体の方向キーの操作などにより、電子番組表の所望の番組にカーソルを移動する。
【００３９】
ステップＳ１０４において、ユーザは、リモコン装置１１２または本体のジャンル検索キーを押すなどして、ジャンル検索機能を呼び出す。
【００４０】
ステップＳ１０５において、番組情報取得部１１０ａは、電子番組表においてカーソルが位置する番組の番組情報をメモリ１１１から取得する。
【００４１】
ステップＳ１０６において、制御部１１０は、番組情報取得部１１０ａが取得した番組情報に含まれる当該番組のジャンルを検索条件として、メモリ１１１に格納されているすべての放送予定の番組の番組情報から同じジャンルの番組の番組情報を抽出する。
【００４２】
ステップＳ１０７において、ＥＰＧ構成部１０５は、抽出された番組情報からジャンル検索画面を構成する。
【００４３】
ステップＳ１０８において、カーソル制御部１１０ｂは、ジャンル検索画面におけるカーソルの初期位置を、電子番組表においてカーソルが位置していた番組に設定する。
【００４４】
ステップＳ１０９において、画面合成部１０６はジャンル検索画面を合成し、表示部１０７はジャンル検索画面を表示し、動作を終了する。
【００４５】
第２の実施の形態として、電子番組表においてカーソルが位置する番組と同じサブジャンルの番組を検索するようにしてもよい。番組情報には、ジャンル識別子と共に４ビットのサブジャンル識別子が含まれている。サブジャンルは、各ジャンルにおいてより詳しいジャンル分けをするものである。例えば、アニメ・特撮のジャンルでは、海外アニメ、国内アニメ、教育アニメ、ＳＦアニメなどのサブジャンルが指定される。サブジャンル検索画面においては、ジャンル検索画面と同様に、横軸の時間軸において時間帯カーソルで放送時間帯を選択し、縦軸のサブジャンル軸においてサブジャンルカーソルでサブジャンルを選択すると、選択された放送時間帯において放送される選択されたサブジャンルの番組の一覧が放送時刻順に表示される。サブジャンル軸のサブジャンルはジャンルを含んでもよい。
【００４６】
第２の実施の形態では、制御部１１０が、リモコン装置１１２または本体に設けられたサブジャンル検索キーが押されたことを感知すると、番組情報取得部１１０ａは、その時点で電子番組表においてカーソルが位置する番組の情報を取得する。番組の情報には、番組のサブジャンルを指定する通常４ビットのサブジャンル識別子が含まれている。制御部１１０は、このサブジャンル識別子に基づいて判別した番組のサブジャンルを検索条件として、メモリ１１１に格納された放送予定のすべての番組情報においてサブジャンル検索を行い、当該サブジャンルの番組を抽出する。
【００４７】
ＥＰＧ構成部１０５は、サブジャンル検索された番組の番組情報を元にサブジャンル検索画面を構成する。この際、カーソル制御部１１０ｂは、サブジャンル検索画面におけるカーソルの初期位置を、サブジャンル検索キーが押された時点で電子番組表においてカーソルが位置していた番組に設定する。画面合成部１０６は、サブジャンル検索画面を合成し、表示部１０７に供給する。表示部１０７はサブジャンル検索画面を表示する。
【００４８】
番組によってはサブジャンルが指定されていない場合がある。電子番組表においてカーソルが位置する番組の番組情報においてサブジャンルが指定されていない場合、サブジャンル検索画面においてサブジャンル軸でジャンルの指定もできる場合は、該番組のジャンルにカーソルが位置するようにしてもよく、第１の実施の形態のようなジャンル検索に切り替えてもよい。
【００４９】
第２の実施の形態は第１の実施の形態と組み合わせて実施してもよい。
【００５０】
上記実施の形態では、ジャンル検索画面およびサブジャンル検索画面におけるカーソルの初期位置を、電子番組表でカーソルが位置していた番組としたが、番組一覧において放送時刻が一番早い番組（一番上に表示されている番組）などの他の番組としてもよい。
【産業上の利用可能性】
【００５１】
本発明は番組情報検索装置に利用可能である。
【図１】
2011010555.tif 000003
【図２】
2011010555.tif 000004
【図３】
2011010555.tif 000005
【図４】
2011010555.tif 000006
【国際調査報告】
2011010555.tif 000007
2011010555.tif 000008
2011010555.tif 000009
2011010555.tif 000010